(57)【要約】【課題】土砂崩れ等に起因して歩行して通過することが困難となった岩場に簡易に設置可能であり、かつ岩場を安全に歩行することができる歩行用足場を提供することを目的とする。【解決手段】岩場１００に設置する歩行用足場１であって、一端部１１を岩場１００に形成した挿入穴１０１に挿入するとともに他の部位を岩場１００から突出させて岩場１００に固定される棒状部材１０と、複数の棒状部材１０の突出部に跨って固定される足場板２０と、足場板２０が棒状部材１０から脱落することを防止する脱落防止機構（１３）と、を備えたことを特徴とする。【選択図】図１
2011026766.tif 000002
【特許請求の範囲】
【請求項１】
岩場に設置する歩行用足場であって、
一端部を前記岩場に形成した挿入穴に挿入するとともに他の部位を前記岩場から突出させて前記岩場に固定される棒状部材と、
複数の前記棒状部材の突出部に跨って固定される足場板と、
該足場板が前記棒状部材から脱落することを防止する脱落防止機構と、を備えたことを特徴とする歩行用足場。
【請求項２】
前記足場板には補強板を備え、該補強板に設けた挿通部に前記棒状部材を挿通することにより前記棒状部材に前記足場板を固定したことを特徴とする請求項１記載の歩行用足場。
【請求項３】
拡開することにより前記岩場に固定される拡開部を前記棒状部材の一端部側に備えたことを特徴とする請求項１又は２記載の歩行用足場。
【発明の詳細な説明】
【技術分野】
【０００１】
本発明は、土砂崩れ等に起因して歩行して通過することが困難となった岩場に簡易に設置することができる歩行用足場に関し、特に岩場から突出させた棒状部材に足場板を固定することにより、軽装備の作業員が容易に設置して岩場に沿って安全に歩行することを可能とした歩行用足場に関する。
【背景技術】
【０００２】
特別高圧架空電線路の多くは山岳地帯に建設されており、これらの保守・点検作業を行うために、鉄塔から鉄塔へと作業員が移動するための巡視路が整備されている。
近年、集中豪雨に伴う土砂崩れによって巡視路が破壊され、急斜面に岩盤が露出してほとんど足場のない状態となっている箇所がある。このような箇所の大半は、新たに迂回路を整備することが困難な場合が多い。そのため何らの安全対策も施されていない岩場を、保守作業員が注意を払って通行しているのが現状である。しかし、作業員が足を踏み外すと岩場から転落して重大災害が起こる可能性があり、早期の安全対策が望まれる。
このような箇所には、特許文献１に記載された杭を設置することが考えられる。特許文献１には、地面に打ち込まれる杭本体に頭部を付設し、頭部上端に人の足で踏む板状部分を形成した杭が記載されている。
【先行技術文献】
【特許文献】
【０００３】
【特許文献１】特開平９−２８７１３４号公報
【発明の概要】
【発明が解決しようとする課題】
【０００４】
杭に加わる荷重を効果的に支えるためには、杭本体を地中に深く打ち込む必要がある。特許文献１記載の杭は、荷重を支える板状部分が頭部上端に形成されているため、杭本体の軸方向と重力方向とを合致させる必要がある。しかし岩場が斜面の場合、杭本体を重力方向に打ち込むと、杭本体に沿って岩場に亀裂が入る虞がある。最悪の場合には岩場が崩壊する虞があり、足場として用いるには適さない。
本発明は、上述の事情に鑑みてなされたものであり、土砂崩れ等に起因して歩行により通過することが困難となった岩場に容易に設置可能であり、かつ岩場を安全に歩行することができる歩行用足場を提供することを目的とする。
【課題を解決するための手段】
【０００５】
上記の課題を解決するために、請求項１に記載の発明は、岩場に設置する歩行用足場であって、一端部を前記岩場に形成した挿入穴に挿入するとともに他の部位を前記岩場から突出させて前記岩場に固定される棒状部材と、複数の前記棒状部材の突出部に跨って固定される足場板と、該足場板が前記棒状部材から脱落することを防止する脱落防止機構と、を備えたことを特徴とする。
請求項２に記載の発明は、前記足場板には補強板を備え、該補強板に設けた挿通部に前記棒状部材を挿通することにより前記棒状部材に前記足場板を固定した請求項１記載の歩行用足場を特徴とする。
請求項３に記載の発明は、拡開することにより前記岩場に固定される拡開部を前記棒状部材の一端部側に備えた請求項１又は２記載の歩行用足場を特徴とする。
本発明に係る歩行用足場においては、岩場から突出させた複数の棒状部材に跨って足場板を固定するので、荷重が棒状部材の径方向に加わる。
【発明の効果】
【０００６】
本発明の歩行用足場は、岩場から突出させた棒状部材に足場板を固定する構造なので、簡易に設置できる。また、岩場から突出させた複数の棒状部材の突出部に跨って足場板が固定されるので、荷重が棒状部材の径方向に加わる。そのため、急傾斜の岩場であっても、安全に歩行可能な歩行路を整備することが可能となる。
【図面の簡単な説明】
【０００７】
【図１】本発明の第一の実施形態に係る歩行用足場を示した分解斜視図である。
【図２】補強板の形態例を示す図であり、（ａ）乃至（ｃ）は側面図であり、（ｄ）は（ｃ）の一部を示した斜視図である。
【図３】本発明の第二の実施形態に係る歩行用足場を示した分解斜視図である。
【発明を実施するための形態】
【０００８】
〔第一の実施形態〕
本発明の第一の実施形態について図１に基づいて説明する。図１は、本実施形態に係る歩行用足場を示した分解斜視図である。本実施形態に係る歩行用足場は、岩場から略水平方向に突出させた複数の棒状部材と、複数の棒状部材の突出部に跨って固定される足場板とからなる点に特徴がある。
歩行用足場１は、一端部１１を岩場１００に形成した挿入穴１０１に挿入するとともに他端部１３（他の部位）を岩場１００から突出させて岩場に固定される棒状部材１０と、複数の棒状部材１０の突出部に跨って固定される足場板２０と、足場板２０が棒状部材１０から脱落することを防止する脱落防止機構と、を備える。挿入穴１０１は、予めハンマードリル等を用いて形成されたものである。
棒状部材１０は棒状の部材であり、一端部１１の外周面に接着剤を塗布して岩場１００に形成された挿入穴１０１に挿入することにより、岩場１００に固定される。棒状部材１０の中間部には、挿入穴１０１への打ち込み量を規制するつば部１２を備える。他端部１３は、つば部１２から先端に向かって径が漸減するテーパ状であり、足場板の脱落を防止する脱落防止機構となっている。
足場板２０は、歩行者が踏み付ける矩形状の踏板２１と、踏板２１の端縁であって歩行者の通行方向と交差する端縁から斜め方向に夫々斜め下方へ屈曲形成された斜板２２と、踏板２１の端部裏面から屈曲すると共に通行方向に沿って対向して離間配置された補強板２３と、各補強板２３に設けられて棒状部材１０の他端部１３が挿通される挿通孔２４（挿通部）と、を備える。踏板２１の表面には滑り止め２５として凹凸が形成されている。
【０００９】
補強板２３は、対向する踏板２１の端部に夫々対向配置されている。補強板２３は、踏板２１の変形を防止すると共に、足場板２０を棒状部材１０の他端部１３に固定する役割を果たす。図２は、補強板の形態例を示す図であり、（ａ）乃至（ｃ）は側面図であり、（ｄ）は（ｃ）の一部を示した斜視図である。
補強板は、例えば図２（ａ）に示す補強板２３のように、配置することができる。或いは図２（ｂ）に示す補強板２６のように、踏板２１と双方の斜板２２とに跨って固定することができる。或いは図２（ｃ）、（ｄ）に示す補強板２７のように、踏板２１に固定するとともに荷重による補強板２７の傾倒、変形を防止する補助板２８を添設した構成とすることができる。
挿通孔２４の内径は他端部１３の最大外径よりも小さく設定し、他端部１３の中途にて足場板２０が係止固定されうるようにする。
棒状部材１０は、その軸方向が通行方向と交差するように少なくとも２本を並列配置する。足場板２０は、複数の他端部１３に跨って固定される。図２（ｂ）に示す補強板を用いて、足場板２０を３本以上の棒状部材１０で支える構成としてもよい。なお、つば部１２から突出する他端部１３の長さは、対向配置された補強板２３が有する間隔よりも長く設定する。
歩行用足場１を構成する各部材は、金属製であることが望ましいが、耐候性、耐食性及び作業用具を担いだ作業員の荷重を支持しうる強度を兼ね備えた材料であれば、特に限定されない。
【００１０】
本実施形態に係る歩行用足場１の設置方法について説明する。
岩場１００の適所に、ハンマードリル等を用いて、棒状部材１０の一端部１１が有する外径と略同径の挿入穴１０１を略水平、或いは外側開口が上向きになるように斜めに開口する。開口時に生じた切り粉を除去してから、一端部１１の表面に接着剤を塗布して挿入穴１０１に挿入し、棒状部材１０と挿入穴１０１とを接着一体化する。棒状部材１０は、挿通孔２４の間隔に合わせて複数設置する。岩場１００から突出した他端部１３を挿通孔２４に挿通し、足場板２０をハンマで叩き入れて固定する。
以上のように、本実施形態に係る歩行用足場は棒状部材に足場板を固定する構造なので、簡易に設置できる。また、岩場から突出させた複数の棒状部材の突出部に跨って足場板が固定されるので、荷重が棒状部材の径方向に加わる。そのため、急傾斜の岩場であっても、安全に歩行可能な歩行路を整備することが可能となる。
【００１１】
〔第二の実施形態〕
本発明の第二の実施形態について図３に基づいて説明する。図３は、本実施形態に係る歩行用足場を示した分解斜視図である。本実施形態に係る歩行用足場は、棒状部材を複数の部材から構成して、岩場と歩行用足場との接着強度を高めると共に、より確実に脱落防止を図った点に特徴がある。以下、第一の実施形態と同一の部材には同一の符号を付してその説明を省略する。
歩行用足場２は、第一の実施形態と同様に棒状部材４０と、足場板２０と、脱落防止機構として脱落防止孔５２及び割りピン５３と、を備える。
棒状部材４０は、岩場１００の挿入穴１０１に直接挿入される筒状の筒部材４１と、一端部４７が筒部材４１に挿入されて他端部５１（他の部位）が筒部材４１から突出する棒材４６と、を備える。
筒部材４１は、内周面に切られた雌ネジ４２と、挿入穴１０１への挿入方向先端部に設けられて棒材４６の挿入に伴って拡開するスリット４３（拡開部）と、を備える。スリット４３部分の内周径は他の部分の内周径よりも小さく設定され、棒材４６の挿入に伴ってスリット４３が拡開して挿入穴１０１内壁に食い込んで岩場１００との密着度を高める。なお、図３においては雌ネジ４２が内周面の一部に切られているが、内周面の全面にネジを切ってもよい。もちろん、スリット４３の内周面にネジを切ってもよい。筒部材４１は、いわゆる締付式アンカー機構を備えたものであるが、打込式アンカー機構や樹脂系のアンカー機構を利用する構成としてもよい。
棒材４６は、一端部４７の外周面に雌ネジ４２と螺合する雄ネジ４８が切られた部材であり、筒部材４１を介して間接的に挿入穴１０１に挿入される。棒材４６の中間部には、筒部材４１への打ち込み量を規制するつば部４９と、つば部４９に隣接して設けられたナット部５０と、を備え、六角柱部５０から突出した他端部５１の先端には、足場板２０の脱落を防止する割りピン５３を挿通する脱落防止孔５２（脱落防止機構）を備える。
ナット部５０は、棒材４６を筒部材４１に螺着する際にスパナと係合する部材である。棒材４６を螺着するための回転力を付与できる形状であればよい。
本実施形態における他端部５１の外径は六角柱部５０側から脱落防止孔５２にかけて一定であるが、第一の実施形態と同様にテーパ状としてもよい。
【００１２】
本実施形態に係る歩行用足場２の設置方法について説明する。
岩場１００の適所に、筒部材４１の外径と略同径の挿入穴１０１を開口する。筒部材４１の表面に接着剤を塗布して挿入穴１０１に挿入する。筒部材４１に棒材４６を挿通して螺着固定する。棒材４６の螺着により、挿入穴１０１内でスリット４３が拡開して、筒部材４１が岩場に強固に固定される。棒材４６の表面に接着剤を塗布して、筒部材４１と接着一体化してもよい。岩場から突出した棒材４６の他端部５１を足場板２０の挿通孔２４に挿通し、脱落防止孔５２に割りピン５３を挿通して、足場板２０を固定する。
以上のように、本実施形態によれば、棒材の螺着時に筒部材のスリット部分が拡開するので、筒部材を岩場に強固に固定できる。また、脱落防止孔と割りピンにより足場板の脱落を確実に防止できる。
【符号の説明】
【００１３】
１、２…歩行用足場、１０…棒状部材、１１…一端部、１２…つば部、１３…他端部、２０…足場板、２１…踏板、２２…斜板、２３…補強板、２４…挿通孔、２５…滑り止め、２６、２７、２８…補強板、４０…棒状部材、４１…筒部材、４２…雌ネジ、４３…スリット、４６…棒材、４７…一端部、４８…雄ネジ、４９…つば部、５０…ナット部、５１…他端部、５２…脱落防止孔、５３…割りピン、１００…岩場、１０１…挿入穴
【図１】
2011026766.tif 000003
【図２】
2011026766.tif 000004
【図３】
2011026766.tif 000005